(57)【特許請求の範囲】
【請求項１】
他端末と無線通信を行う通信端末であって、
前記通信端末と前記他端末との離間度合いを特定するための無線通信を行う第１通信部と、
前記第１通信部とは異なる方式で無線通信を行う第２通信部と、
前記第１通信部による無線通信の通信状況を監視する対象として指定された複数の前記他端末のそれぞれを識別する端末識別情報を記憶する記憶部と、
前記第１通信部による無線通信の通信状況が、前記通信端末が複数の前記他端末のそれぞれと所定距離以上離れていることを示す通信状況に変化すると、複数の前記他端末のうち、前記第２通信部による無線通信を行う他端末の選択を受け付ける受付部と、
前記記憶部に記憶されている前記端末識別情報に基づいて、前記受付部が選択を受け付けた前記他端末と前記第２通信部により無線通信を行う通信制御部と、
を備える通信端末。
【請求項２】
前記受付部は、前記第１通信部による無線通信の通信状況が、前記通信端末が複数の前記他端末のそれぞれと所定距離以上離れていることを示す通信状況に変化すると、複数の前記他端末のそれぞれに対応して、前記第２通信部による無線通信の開始指示を受け付ける画面を表示させ、当該画面を介して、前記第２通信部による無線通信を行う他端末の選択を受け付ける、
請求項１に記載の通信端末。
【請求項３】
前記受付部は、前記第１通信部による無線通信の通信状況が、前記通信端末が複数の前記他端末のそれぞれと所定距離以上離れていることを示す通信状況に変化すると、複数の前記他端末のうちの特定の他端末に対応して、前記第２通信部による無線通信の開始指示を受け付ける画面を表示させ、
前記通信制御部は、前記第２通信部により、一の前記他端末との無線通信を行う、
請求項１に記載の通信端末。
【請求項４】
前記受付部は、所定の条件に基づいて前記特定の他端末を特定し、当該特定の他端末と前記第２通信部による無線通信の開始指示を受け付ける画面を表示させる、
請求項３に記載の通信端末。
【請求項５】
他端末と無線通信を行う通信端末であって、
前記通信端末と前記他端末との離間度合いを特定するための無線通信を行う第１通信部と、
前記第１通信部とは異なる方式で無線通信を行う第２通信部と、
前記第１通信部による無線通信の通信状況を監視する対象として指定された複数の前記他端末のそれぞれを識別する端末識別情報を記憶する記憶部と、
前記第１通信部による複数の前記他端末との無線通信の通信状況の監視指示が受け付けられると、複数の前記他端末のそれぞれから前記端末識別情報を取得する取得部と、
取得された複数の前記端末識別情報を前記記憶部に記憶させる記憶制御部と、
前記第１通信部による無線通信の通信状況が、前記通信端末が複数の前記他端末のそれぞれと所定距離以上離れていることを示す通信状況に変化すると、前記第２通信部により、前記記憶部に記憶されている前記端末識別情報に基づいて複数の前記他端末の少なくともいずれかと無線通信を行う通信制御部と、
を備える通信端末。
【請求項６】
前記第１通信部による無線通信の通信状況が、前記通信端末が複数の前記他端末のそれぞれと所定距離以上離れていることを示す通信状況に変化すると、前記第２通信部による複数の前記他端末との無線通信の開始指示を受け付ける画面を表示部に表示させ、当該開始指示を受け付ける受付部をさらに備え、
前記通信制御部は、前記開始指示を受け付けると、前記第２通信部により、前記端末識別情報に基づいて、複数の前記他端末の少なくともいずれかとの無線通信を行う、
請求項１から５のいずれか１項に記載の通信端末。
【請求項７】
複数の第１通信端末と、第２通信端末とを備える通信システムであって、
複数の前記第１通信端末、及び前記第２通信端末は、
自身と他端末との離間度合いを特定するための無線通信を行う第１通信部と、
前記第１通信部とは異なる方式で無線通信を行う第２通信部とを有し、
複数の前記第１通信端末のそれぞれは、
前記第１通信部による無線通信の通信状況を監視する対象として指定された前記第２通信端末を識別する端末識別情報を記憶する記憶部と、
前記第１通信部による無線通信の通信状況が、自身が前記第２通信端末と所定距離以上離れていることを示す通信状況に変化すると、前記第２通信部による前記第２通信端末との無線通信の開始指示を受け付ける画面を、複数の前記第１通信端末のそれぞれにおいて異なるタイミングで表示部に表示させ、当該開始指示を受け付ける受付部と、
前記開始指示を受け付けると、前記第２通信部により、前記端末識別情報に基づいて、前記第２通信端末との無線通信を行う通信制御部とをさらに有し、
前記第２通信端末は、
前記第１通信部による無線通信の通信状況を監視する対象として指定された複数の前記第１通信端末のそれぞれを識別する端末識別情報を記憶する記憶部と、
前記第１通信部による無線通信の通信状況が、前記第２通信端末が複数の前記第１通信端末のそれぞれと所定距離以上離れていることを示す通信状況に変化すると、前記第２通信部により、前記端末識別情報に基づいて複数の前記第１通信端末の少なくともいずれかとの無線通信を行う通信制御部とをさらに有する、
通信システム。
【請求項８】
前記複数の第１通信端末のそれぞれは、
前記第２通信部により前記第２通信端末と無線通信を行うと、自身とは異なる前記第１通信端末に、自身と第２通信端末とが通信した旨を示す情報を通知する通知部をさらに備える、
請求項７に記載の通信システム。
【請求項９】
自身と他端末との離間度合いを特定するための無線通信を行う第１通信部と、前記第１通信部とは異なる方式で無線通信を行う第２通信部とを備えるコンピュータにより実行される、
前記第１通信部による無線通信の通信状況を監視する対象として指定された複数の前記他端末のそれぞれを識別する端末識別情報を記憶部に記憶させるステップと、
前記第１通信部による無線通信の通信状況が、前記コンピュータが複数の前記他端末のそれぞれと所定距離以上離れていることを示す通信状況に変化すると、複数の前記他端末のうち、前記第２通信部による無線通信を行う他端末の選択を受け付けるステップと、
前記記憶部に記憶されている前記端末識別情報に基づいて、選択が受け付けられた前記他端末と前記第２通信部により無線通信を行うステップと、
を備える通信方法。
【請求項１０】
自身と他端末との離間度合いを特定するための無線通信を行う第１通信部と、前記第１通信部とは異なる方式で無線通信を行う第２通信部とを備えるコンピュータにより実行される、
前記第１通信部による複数の前記他端末との無線通信の通信状況の監視指示が受け付けられると、複数の前記他端末のそれぞれから、複数の前記他端末のそれぞれを識別する端末識別情報を取得するステップと、
取得された複数の前記端末識別情報を記憶部に記憶させるステップと、
前記第１通信部による無線通信の通信状況が、前記コンピュータが複数の前記他端末のそれぞれと所定距離以上離れていることを示す通信状況に変化すると、前記第２通信部により、前記記憶部に記憶されている前記端末識別情報に基づいて複数の前記他端末の少なくともいずれかと無線通信を行うステップと、
を備える通信方法。
【発明の詳細な説明】
【技術分野】
【０００１】
本発明は、通信端末、通信システム及び通信方法に関する。
【背景技術】
【０００２】
従来、見守り対象者に通信端末を携帯させて、当該通信端末により見守り対象者が迷子になったときに、その旨を通知することが行われている。例えば、特許文献１には、見守り対象者が携帯する通信端末が、見守り者が携帯する通信端末から離れたことに応じて、見守り対象者が迷子になったことを通知することが開示されている。
【先行技術文献】
【特許文献】
【０００３】
【特許文献１】特開２０００−２８７２６５号公報
【発明の概要】
【発明が解決しようとする課題】
【０００４】
ところで、複数の見守り者と、一人の見守り対象者とが、一緒に外出する場合がある。そして、外出中において、見守り対象者と第１の見守り者とが一緒に行動をするとともに、第２の見守り者が別行動をする場合がある。この場合において、特許文献１に記載された技術を用いる場合、見守り対象者の通信端末は、見守り対象者が第１の見守り者と一緒に行動しており迷子になっていないにもかかわらず、第２の見守り者の通信端末から離れたことに応じて迷子になったことを通知してしまうという問題が生じてしまう。
【０００５】
そこで、本発明はこれらの点に鑑みてなされたものであり、複数の見守り者がいる場合に、見守り対象者への支援が必要になった時点で適切に対応させることができる通信端末、通信システム及び通信方法を提供することを目的とする。
【課題を解決するための手段】
【０００６】
本発明の第１の態様に係る通信端末は、自身と他端末との離間度合いを特定するための無線通信を行う第１通信部と、前記第１通信部とは異なる方式で無線通信を行う第２通信部と、前記第１通信部による無線通信の通信状況を監視する対象として指定された複数の前記他端末のそれぞれを識別する端末識別情報を記憶する記憶部と、前記第１通信部による無線通信の通信状況が、自身が複数の前記他端末のそれぞれと所定距離以上離れていることを示す通信状況に変化すると、前記第２通信部により、前記端末識別情報に基づいて複数の前記他端末の少なくともいずれかと無線通信を行う通信制御部と、を備える。
【０００７】
前記通信端末は、前記第１通信部による無線通信の通信状況が、前記通信端末が複数の前記他端末のそれぞれと所定距離以上離れていることを示す通信状況に変化すると、前記第２通信部による複数の前記他端末との無線通信の開始指示を受け付ける画面を表示部に表示させ、当該開始指示を受け付ける受付部をさらに備え、前記通信制御部は、前記開始指示を受け付けると、前記第２通信部により、前記端末識別情報に基づいて、複数の前記他端末の少なくともいずれかとの無線通信を行ってもよい。
【０００８】
前記通信端末は、前記第１通信部による無線通信の通信状況が、前記通信端末が複数の前記他端末のそれぞれと所定距離以上離れていることを示す通信状況に変化すると、複数の前記他端末のうち、前記第２通信部による無線通信を行う他端末の選択を受け付ける受付部をさらに備え、前記通信制御部は、前記第２通信部により、選択された他端末との無線通信を行ってもよい。
【０００９】
前記受付部は、前記第１通信部による無線通信の通信状況が、前記通信端末が複数の前記他端末のそれぞれと所定距離以上離れていることを示す通信状況に変化すると、複数の前記他端末のそれぞれに対応して、前記第２通信部による無線通信の開始指示を受け付ける画面を表示させ、当該画面を介して、前記第２通信部による無線通信を行う他端末の選択を受け付けてもよい。
【００１０】
前記受付部は、前記第１通信部による無線通信の通信状況が、前記通信端末が複数の前記他端末のそれぞれと所定距離以上離れていることを示す通信状況に変化すると、複数の前記他端末のうちの特定の他端末に対応して、前記第２通信部による無線通信の開始指示を受け付ける画面を表示させ、前記通信制御部は、前記第２通信部により、一の前記他端末との無線通信を行ってもよい。
前記受付部は、所定の条件に基づいて前記特定の他端末を特定し、当該特定の他端末と前記第２通信部による無線通信の開始指示を受け付ける画面を表示させてもよい。
【００１１】
前記通信端末は、前記第１通信部による複数の前記他端末との無線通信の通信状況の監視指示が受け付けられると、複数の前記他端末のそれぞれから前記端末識別情報を取得する取得部と、取得された複数の前記端末識別情報を前記記憶部に記憶させる記憶制御部とをさらに備えてもよい。
【００１２】
本発明の第２の態様に係る通信システムは、複数の第１通信端末と、第２通信端末とを備える通信システムであって、複数の前記第１通信端末、及び前記第２通信端末は、自身と他端末との離間度合いを特定するための無線通信を行う第１通信部と、前記第１通信部とは異なる方式で無線通信を行う第２通信部とを有し、前記第２通信端末は、前記第１通信部による無線通信の通信状況を監視する対象として指定された複数の前記第１通信端末のそれぞれを識別する端末識別情報を記憶する記憶部と、前記第１通信部による無線通信の通信状況が、前記第２通信端末が複数の前記第１通信端末のそれぞれと所定距離以上離れていることを示す通信状況に変化すると、前記第２通信部により、前記端末識別情報に基づいて複数の前記第１通信端末の少なくともいずれかとの無線通信を行う通信制御部とをさらに有する。
【００１３】
複数の前記第１通信端末の少なくともいずれかは、前記第１通信部による無線通信の通信状況を監視する対象として指定された前記第２通信端末を識別する端末識別情報を記憶する記憶部と、前記第１通信部による無線通信の通信状況が、自身が前記第２通信端末と所定距離以上離れていることを示す通信状況に変化すると、前記第２通信部による前記第２通信端末との無線通信の開始指示を受け付ける画面を表示部に表示させ、当該開始指示を受け付ける受付部と、前記開始指示を受け付けると、前記第２通信部により、前記端末識別情報に基づいて、前記第２通信端末との無線通信を行う通信制御部とをさらに有していてもよい。
【００１４】
複数の前記第１通信端末のそれぞれは、前記第１通信部による無線通信の通信状況を監視する対象として指定された前記第２通信端末を識別する端末識別情報を記憶する記憶部と、前記第１通信部による無線通信の通信状況が、自身が前記第２通信端末と所定距離以上離れていることを示す通信状況に変化すると、前記第２通信部による前記第２通信端末との無線通信の開始指示を受け付ける画面を表示部に表示させ、当該開始指示を受け付ける受付部と、前記開始指示を受け付けると、前記第２通信部により、前記端末識別情報に基づいて、前記第２通信端末との無線通信を行う通信制御部とをさらに有し、前記受付部は、複数の前記第１通信端末のそれぞれにおいて前記画面を異なるタイミングで表示させてもよい。
前記複数の第１通信端末のそれぞれは、前記第２通信部により前記第２通信端末と無線通信を行うと、自身とは異なる前記第１通信端末に、自身と第２通信端末とが通信した旨を示す情報を通知する通知部をさらに備えてもよい。
【００１５】
本発明の第３の態様に係る通信方法は、自身と他端末との離間度合いを特定するための無線通信を行う第１通信部と、前記第１通信部とは異なる方式で無線通信を行う第２通信部とを備えるコンピュータにより実行される、前記第１通信部による無線通信の通信状況を監視する対象として指定された複数の前記他端末のそれぞれを識別する端末識別情報を記憶部に記憶させるステップと、前記第１通信部による無線通信の通信状況が、自身が複数の前記他端末のそれぞれと所定距離以上離れていることを示す通信状況に変化すると、前記第２通信部により、前記端末識別情報に基づいて複数の前記他端末の少なくともいずれかと無線通信を行うステップと、を備える。
【発明の効果】
【００１６】
本発明によれば、複数の見守り者がいる場合に、見守り対象者への支援が必要になった時点で適切に対応させることができるという効果を奏する。
【図面の簡単な説明】
【００１７】
【図１】本実施形態に係る通信システムの概要を示す図である。
【図２】本実施形態に係る第１通信端末の構成を示す図である。
【図３】本実施形態に係る第２通信端末の構成を示す図である。
【図４】ペアリング時の処理の流れを示すフローチャートである。
【図５】監視画面の一例を示す図である。
【図６】第１通信部による他端末との無線通信の通信状況の監視時の処理の流れを示すフローチャートである。
【図７】監視画面による離間度合いの通知例を示す図である。
【図８】第２通信端末における第１通信端末との離間度合いの通知例を示す図である。
【図９】第１通信端末に表示される警告画面の一例を示す図である。
【図１０】第２通信端末に表示される警告画面の一例を示す図である。
【図１１】第２通信端末に表示される警告画面の他の表示例を示す図である。
【発明を実施するための形態】
【００１８】
［通信システムＳの構成］
図１は、本実施形態に係る通信システムＳの概要を示す図である。
通信システムＳは、見守り者が所持する複数の第１通信端末１（例えば、第１通信端末１Ａ及び第１通信端末１Ｂ）と、見守り対象者が所持する第２通信端末２とを備える。ここで、見守り対象者は、例えば子供であり、見守り者は、例えば子供の保護者（両親）である。
【００１９】
第１通信端末１は、制御部や記憶部を備え、見守り者が携帯可能なコンピュータである。第１通信端末１は、例えば、スマートフォン等の携帯電話機であり、自身と他端末（第２通信端末）との離間度合いを特定するための無線通信を行う第１通信部と、第１通信部とは異なる方式で無線通信を行う第２通信部とを備える。
【００２０】
第２通信端末２は、制御部や記憶部を備え、例えば、見守り対象者が体に装着可能なウェアラブルコンピュータである。第２通信端末２は、例えば、腕時計型の携帯電話機であり、第１通信端末１と同様に、第１通信部と第２通信部とを備える。
【００２１】
第１通信端末１を所持する複数の見守り者のそれぞれは、第２通信端末２を所持する見守り対象者とともに行動する場合、第１通信端末１を操作して、見守り対象者が見守り者から離れたか否かを監視する機能（監視機能）をオン状態にする。
【００２２】
第１通信端末１は、監視機能がオン状態にされたことに応じて、見守り対象者が所持する第２通信端末２と、第１通信部による無線通信により通信を行う。第１通信部の通信可能距離は、例えば５０ｍ程度であり、第１通信端末１は、第１通信部による第２通信端末２との通信が可能な場合、見守り対象者が見守り者から離れていないと判定する。
【００２３】
第１通信端末１は、第１通信部による無線通信により第２通信端末２と通信ができなくなるか、第２通信端末２から受信する電波の電波強度が所定の閾値以下に変化すると、見守り対象者が見守り者から離れたと判定する。第１通信端末１は、見守り対象者が見守り者から離れたと判定した場合、第２通信部により、第２通信端末２と無線通信を行い、電話等による見守り対象者と見守り者とのコミュニケーションを可能とする。
【００２４】
同様に、第２通信端末２は、第１通信部による無線通信により、複数の第１通信端末１のそれぞれと通信ができなくなると、見守り者が見守り対象者から離れたと判定する。第２通信端末２は、見守り者が見守り対象者から離れたと判定した場合、第２通信部により、複数の第１通信端末１の少なくともいずれかと無線通信を行い、電話等による見守り対象者と見守り者とのコミュニケーションを可能とする。
【００２５】
このようにすることで、第２通信端末２を所持する見守り対象者は、第１通信端末１を所持する複数の見守り者のいずれとも離れた場合に、第２通信部を介して見守り者とコミュニケーションを取ることができる。よって、第２通信端末２は、見守り対象者が複数の見守り者のいずれとも離れた場合に見守り対象者に適切に対応させることができる。
続いて、第１通信端末１及び第２通信端末２の構成について説明する。
【００２６】
［第１通信端末１の構成］
図２は、本実施形態に係る第１通信端末１の構成を示す図である。第１通信端末１は、入力部１１と、表示部１２と、第１通信部１３と、第２通信部１４と、記憶部１５と、制御部１６とを備える。
【００２７】
入力部１１は、例えば、ボタンやタッチパネルであり、第１通信端末１のユーザから操作入力を受け付ける。
表示部１２は、例えば、液晶ディスプレイや有機ＥＬ（Electro-Luminescence）ディスプレイであり、制御部１６の制御に応じて各種情報を表示する。
【００２８】
第１通信部１３は、自身と第２通信端末２との離間度合いを判定するための無線通信を行う。第１通信部１３は、ＢＬＥ（Bluetooth Low Energy）（登録商標）等の、通信可能な距離が所定距離（例えば、５０ｍ）である近距離無線通信方式により、第２通信端末２と無線通信を行う。
【００２９】
第１通信部１３は、例えば、第２通信端末２から発信されたビーコン信号を受信する。第１通信部１３は、受信したビーコン信号に対応する電波の電波強度を測定する。第１通信部１３は、測定された電波強度を示す情報と、ビーコン信号に含まれているビーコンＩＤとを制御部１６に出力する。
【００３０】
第２通信部１４は、第１通信部１３とは異なる方式で無線通信を行う。例えば、第２通信部１４は、携帯電話回線やインターネット等の通信ネットワークを介して第２通信端末２と通信を行う。
【００３１】
記憶部１５は、例えば、ＲＯＭ及びＲＡＭ等である。記憶部１５は、第１通信端末１を機能させるための各種プログラムを記憶する。記憶部１５は、第１通信端末１の制御部１６を、第１受付部１６１、取得部１６２、記憶制御部１６３、通信制御部１６４、第２受付部１６５、及び通知部１６６として機能させる見守り用プログラムを記憶する。記憶部１５は、外部メモリ等の記憶媒体に記憶されたプログラムを読み取って記憶してもよく、通信ネットワークを介して外部機器からダウンロードされたプログラムを記憶してもよい。
【００３２】
なお、第１通信端末１に接続されている記憶媒体も、記憶部１５に含まれるものとする。第１通信端末１に接続されている記憶媒体は、例えば、第１通信端末１を識別する識別情報としての第１通信端末１の電話番号（以下、第１電話番号ともいう。）を記憶するＳＩＭカードである。
【００３３】
また、記憶部１５は、監視対象の見守り対象者が所持する第２通信端末２を識別する端末識別情報として、第２通信端末２に予め割り当てられているユーザＩＤと、見守り対象者の名称とを記憶する。
【００３４】
制御部１６は、例えば、ＣＰＵである。制御部１６は、記憶部１５に記憶されている各種プログラムを実行することにより、第１通信端末１に係る機能を制御する。制御部１６は、第１受付部１６１と、取得部１６２と、記憶制御部１６３と、通信制御部１６４と、第２受付部１６５と、通知部１６６とを備える。これらの機能の詳細については後述する。
【００３５】
［第２通信端末２の構成］
図３は、本実施形態に係る第２通信端末２の構成を示す図である。第２通信端末２は、入力部２１と、表示部２２と、第１通信部２３と、第２通信部２４と、記憶部２５と、制御部２６とを備える。
入力部２１、表示部２２、第１通信部２３、及び第２通信部２４の機能は、第１通信端末１の入力部１１、表示部１２、第１通信部１３、及び第２通信部１４の機能と同じであるので説明を省略する。
【００３６】
記憶部２５は、例えば、ＲＯＭ及びＲＡＭ等である。記憶部２５は、第２通信端末２を機能させるための各種プログラムを記憶する。記憶部２５は、第２通信端末２の制御部２６を、取得部２６２、記憶制御部２６３、通信制御部２６４、受付部２６５、及び通知部２６６として機能させる見守り用プログラムを記憶する。記憶部２５は、外部メモリ等の記憶媒体に記憶されたプログラムを読み取って記憶してもよく、通信ネットワークを介して外部機器からダウンロードされたプログラムを記憶してもよい。
【００３７】
なお、第２通信端末２に接続されている記憶媒体も、記憶部２５に含まれるものとする。第２通信端末２に接続されている記憶媒体は、例えば、第２通信端末２を識別する識別情報としての第２通信端末２の電話番号（以下、第２電話番号ともいう。）を記憶するＳＩＭカードである。
【００３８】
また、記憶部２５は、複数の見守り者のそれぞれが所持する第１通信端末１を識別する端末識別情報として、複数の第１通信端末１のそれぞれに予め割り当てられているユーザＩＤと、見守り者の名称（例えば、お母さん、お父さん等）とを記憶する。
【００３９】
制御部２６は、例えば、ＣＰＵである。制御部２６は、記憶部２５に記憶されている各種プログラムを実行することにより、第２通信端末２に係る機能を制御する。制御部２６は、取得部２６２と、記憶制御部２６３と、通信制御部２６４と、受付部２６５と、通知部２６６とを備える。
続いて、適宜、フローチャートを参照しながら、第１通信端末１及び第２通信端末２が備える機能の詳細について説明する。
【００４０】
［ペアリング時の処理の流れ］
まず、第１通信端末１により第２通信端末２の監視を開始する際に行われるペアリング時の処理の流れについて説明する。図４は、ペアリング時の処理の流れを示すフローチャートである。なお、図４に示す例では、一の第１通信端末１と、第２通信端末２のペアリングに係る処理の流れを示す。
【００４１】
まず、第１通信端末１の第１受付部１６１は、第１通信部１３による、第２通信端末２との無線通信の通信状況の監視指示を受け付ける。具体的には、第１受付部１６１は、入力部１１を介して、第２通信端末２の監視を行うための監視画面の表示要求を受け付けたことに応じて、当該監視画面を表示部１２に表示させる。
【００４２】
図５は、監視画面の一例を示す図である。図５に示す例では、第１通信端末１から第２通信端末２までのおおよその距離を示す扇形の距離通知用画像Ａ１と、第１通信端末１を示すオブジェクトＰとが表示されている。また、図５に示す例では、「ＯＮ」と表示され、監視指示を受け付けるためのオンボタンと、「ＯＦＦ」と表示され、監視を終了する監視終了指示を受け付けるためのオフボタンとが設けられている。
【００４３】
第１受付部１６１は、監視画面においてオンボタンが押下され、監視指示を受け付けたか否かを判定する（Ｓ１）。第１受付部１６１は、監視指示を受け付けたと判定すると、Ｓ２に処理を移し、監視指示を受け付けていないと判定すると、Ｓ１を再実行する。
【００４４】
第１通信端末１の取得部１６２は、第１受付部１６１が監視指示を受け付けると、第２電話番号を第２通信端末２から取得する。また、第２通信端末２の取得部２６２は、第１通信部２３による第１通信端末１との無線通信の通信状況の監視指示が受け付けられると、第１電話番号を第１通信端末１から取得する。
【００４５】
具体的には、第１通信端末１の取得部１６２は、第２通信端末２をサーチするためのサーチ信号を第１通信部１３に発信させる（Ｓ２）。
第２通信端末２の取得部２６２は、サーチ信号を受信すると（Ｓ３）、第１通信部２３による第１通信端末１との無線通信の通信状況の監視指示が受け付けられたと判定する。取得部２６２は、当該サーチ信号に対応する応答信号を第１通信部２３に発信させる（Ｓ４）。
【００４６】
第１通信端末１の取得部１６２は、第２通信端末２から応答信号を受信すると（Ｓ５）、自身の記憶部１５に記憶されている、自身に割り当てられている電話番号である第１電話番号を取得し（Ｓ６）、第２通信端末２に送信する（Ｓ７）。
【００４７】
第２通信端末２の取得部２６２が第１電話番号を受信すると（Ｓ８）、記憶制御部２６３は、当該第１電話番号を、第１通信部２３による無線通信の通信状況を監視する対象として指定された第１通信端末１を識別する端末識別情報として記憶部２５に記憶させる（Ｓ９）。
また、第２通信端末２の取得部２６２は、自身の記憶部２５に記憶されている、自身に割り当てられている電話番号である第２電話番号を取得し（Ｓ１０）、第１通信端末１に送信する（Ｓ１１）。
【００４８】
第１通信端末１の取得部１６２が第２電話番号を受信すると（Ｓ１２）、記憶制御部１６３は、当該第２電話番号を、第１通信部１３による無線通信の通信状況を監視する対象として指定された第２通信端末２を識別する端末識別情報として記憶部１５に記憶させる（Ｓ１３）。これにより、第１通信端末１と第２通信端末２とのペアリングが完了し、第１通信部１３による第２通信端末２との無線通信の通信状況の監視が開始される。
【００４９】
なお、本実施形態では、第２通信端末２が、複数の第１通信端末１（第１通信端末１Ａ及び第１通信端末１Ｂ）とペアリングを行うものとする。これにより、記憶制御部２６３は、複数の第１通信端末１のそれぞれから取得した第１電話番号（端末識別情報）を記憶部２５に記憶させる。
【００５０】
［監視時の処理の流れ］
続いて、第１通信端末１の通信制御部１６４は、第１通信部１３による第２通信端末２との無線通信の通信状況を監視する。通信制御部１６４は、第１通信部１３による第２通信端末２との無線通信の通信状況に基づいて、第２通信部１４により、端末識別情報（第２電話番号）に基づく第２通信端末２との無線通信を行う。同様に、第２通信端末２の通信制御部２６４は、第１通信部２３による複数の第１通信端末１のそれぞれとの無線通信の通信状況を監視する。通信制御部２６４は、第１通信部２３による複数の第１通信端末１のそれぞれとの無線通信の通信状況に基づいて、第２通信部２４により、端末識別情報（第１電話番号）に基づく第１通信端末１との無線通信を行う。図６は、第１通信部による他端末との無線通信の通信状況の監視時の処理の流れを示すフローチャートである。
【００５１】
まず、第２通信端末２の通信制御部２６４は、第１通信部２３により、ビーコン信号を発信する（Ｓ２１）。第１通信部２３は、例えば、見守り対象者のユーザＩＤをビーコンＩＤに含むビーコン信号を発信する。
第１通信端末１の通知部１６６は、第１通信部１３によるビーコン信号の受信状況に基づいて、第１通信端末１と第２通信端末２との離間度合いを見守り者に通知する（Ｓ２２）。
【００５２】
具体的には、通知部１６６は、第１通信部１３がビーコン信号を受信した場合には、ビーコン信号に対応する電波の受信強度を示す情報を第１通信部１３から取得し、当該受信強度を示す情報に基づいて、第２通信端末２との離間度合いを判定する。通知部１６６は、監視画面に表示されている扇形の距離通知用画像Ａ１の内部に、判定した離間度合いに基づいて第２通信端末２を示すオブジェクトＷを表示させる。
【００５３】
図７は、監視画面による離間度合いの通知例を示す図である。図７（ａ）には、第２通信端末２を示すオブジェクトＷが表示されていることが確認できる。通知部１６６は、第２通信端末２との離間度合いが小さい場合には、第１通信端末１を示すオブジェクトＰに近い位置にオブジェクトＷを表示させ、第２通信端末２との離間度合いが大きい場合には、オブジェクトＰから遠い位置にオブジェクトＷを表示させる。
【００５４】
また、通知部１６６は、第１通信部１３がビーコン信号を受信していない場合、又は第１通信部１３が第２通信端末２から受信する電波の電波強度が所定の閾値以下の場合には、第１通信端末１と第２通信端末２との距離が第１通信部１３の通信可能距離（所定距離）以上であると推定する。この場合、通知部１６６は、図７（ｂ）に示すように、オブジェクトＷを非表示とする。
【００５５】
続いて、第１通信端末１の通信制御部１６４は、第１通信部１３がビーコン信号を受信したか否かを判定する（Ｓ２３）。通信制御部１６４は、ビーコン信号を受信したと判定すると、Ｓ２４に処理を移し、ビーコン信号を受信していないと判定すると、Ｓ２５に処理を移す。
Ｓ２４において、通信制御部１６４は、第１通信部１３により、ビーコン信号の応答信号を発信させる。第１通信部１３は、例えば、見守り者のユーザＩＤを含む応答信号を発信する。その後、通信制御部１６４は、Ｓ２２に処理を移す。
【００５６】
Ｓ２５において、通信制御部１６４は、第１通信部１３がビーコン信号を最後に受信してから所定時間（例えば、１０秒）経過したか否かを判定する。通信制御部１６４は、ビーコン信号を最後に受信してから所定時間が経過したと判定すると、Ｓ２６に処理を移し、ビーコン信号を最後に受信してから所定時間が経過していないと判定すると、Ｓ２２に処理を移す。
【００５７】
Ｓ２６において、第２受付部１６５は、第１通信部１３がビーコン信号を最後に受信してから所定時間が経過すると、第１通信部１３による無線通信の通信状況が、第１通信端末１が第２通信端末２と所定距離以上離れていることを示す通信状況に変化したと判定する。そして、第２受付部１６５は、第２通信部１４による第２通信端末２との無線通信の開始指示を受け付ける警告画面を表示部１２に表示させる。警告画面を表示させた後の処理については後述する。
【００５８】
第２通信端末２の通知部２６６は、第１通信部２３による応答信号の受信状況に基づいて、第１通信端末１と第２通信端末２との離間度合いを見守り対象者に通知する（Ｓ２７）。通知部２６６は、第１通信端末１の通知部１６６と同様に、応答信号に対応する電波の受信強度を示す情報を第１通信部２３から取得し、当該受信強度を示す情報に基づいて、第１通信端末１との離間度合いを判定する。ここで、通知部２６６は、複数の第１通信端末１のそれぞれから受信する応答信号に対応する電波の受信強度に基づいて、複数の第１通信端末１のそれぞれとの離間度合いを判定する。
【００５９】
図８は、第２通信端末２における第１通信端末１との離間度合いの通知例を示す図である。第２通信端末２の表示部２２には、図８に示すように、扇形の距離通知用画像Ａ２が表示される。通知部２６６は、扇形の距離通知用画像Ａ２の下部に、第２通信端末２を示すオブジェクトＷを表示させるとともに、距離通知用画像Ａ２の内部に、判定した離間度合いに基づいて複数の第１通信端末１のそれぞれを示すオブジェクトＰ１、Ｐ２を表示させる。
【００６０】
続いて、第２通信端末２の通信制御部２６４は、第１通信部２３が、複数の第１通信端末１の少なくともいずれかから応答信号を受信したか否かを判定する（Ｓ２８）。通信制御部２６４は、応答信号を受信したと判定すると、Ｓ２１に処理を移し、応答信号を受信していないと判定すると、Ｓ２９に処理を移す。
【００６１】
Ｓ２９において、通信制御部２６４は、第１通信部２３が複数の第１通信端末１の少なくともいずれかから応答信号を最後に受信してから所定時間（例えば、１０秒）が経過したか否かを判定する。通信制御部２６４は、応答信号を最後に受信してから所定時間が経過したと判定すると、Ｓ３０に処理を移し、応答信号を最後に受信してから所定時間が経過していないと判定すると、Ｓ２１に処理を移す。
【００６２】
Ｓ３０において、受付部２６５は、第１通信部２３が応答信号を最後に受信してから所定時間が経過すると、第１通信部２３による複数の第１通信端末１のそれぞれとの無線通信の通信状況が、第１通信端末１が第２通信端末２と所定距離以上離れていることを示す通信状況に変化したと判定する。そして、受付部２６５は、第２通信部２４による第１通信端末１との無線通信の開始指示を受け付ける警告画面を表示部２２に表示させる。
【００６３】
［警告画面表示後の処理］
続いて、警告画面を表示した後の処理について説明する。
第１通信端末１の第２受付部１６５は、第１通信部１３による無線通信の通信状況が、第１通信端末１が第２通信端末２と所定距離以上離れていることを示す通信状況に変化すると、第２通信部１４による第２通信端末２との無線通信の開始指示を受け付ける警告画面を表示部１２に表示させ、当該開始指示を受け付ける。また、第２受付部１６５は、第１通信端末１が備えるスピーカ（不図示）から警告音を出力させることにより、見守り者に、第２通信端末２を所持する見守り対象者が自身から離れたことを通知する。
【００６４】
図９は、第１通信端末１に表示される警告画面ＡＬ１の一例を示す図である。図９に示すように、警告画面ＡＬ１は、監視画面に重畳して表示される。警告画面ＡＬ１には、「電話する」と表示され、第２通信部１４による第２通信端末２との無線通信の開始指示を受け付ける第１ボタンと、「音をストップ」と表示され、警告音の出力停止を受け付ける第２ボタンと、「終了」と表示され、警告画面ＡＬ１を非表示にする指示を受け付ける第３ボタンとが設けられている。
【００６５】
通信制御部１６４は、第１ボタンが選択され、第２通信部１４による第２通信端末２との無線通信の開始指示を受け付けると、第２通信部１４により、第２電話番号に基づく第２通信端末２との無線通信を行う。具体的には、通信制御部１６４は、開始指示を受け付けると、第２通信部１４を制御し、ペアリング時に記憶部１５に記憶された第２電話番号に発呼する。第２通信端末２の受付部２６５は、着呼したことに応じて、第１通信端末１から着呼していることを表示部２２に表示させる。見守り対象者が第２通信端末２を操作して、通話を開始する操作を行うと、第１通信端末１の第２通信部１４と、第２通信端末２の第２通信部２４とは無線通信を開始する。
なお、警告画面ＡＬ１には、上述した第１ボタン〜第３ボタンとは異なるボタンが設けられていてもよい。第２通信端末２の現在の状態を示す情報（例えば、第２通信端末２の現在位置を示す位置情報や、第２通信端末２の周囲を撮像した撮像画像）の取得を要求するためのボタンが設けられていてもよい。このようにすることで、第２通信端末２の見守り対象者が応答できない場合であっても、第１通信端末１を所持する見守り者が、現在の状態を示す情報に基づいて、見守り対象者の状況を把握することができる。
【００６６】
同様に、第２通信端末２の受付部２６５は、第１通信部２３による無線通信の通信状況が、第２通信端末２が複数の第１通信端末１のそれぞれと所定距離以上離れていることを示す通信状況に変化すると、第２通信部２４による第１通信端末１との無線通信の開始指示を受け付ける警告画面を表示部２２に表示させ、当該開始指示を受け付ける。また、受付部２６５は、第２通信端末２が備えるスピーカ（不図示）から警告音を出力させることにより、見守り対象者に、自身が第１通信端末１を所持する見守り者から離れたことを通知する。
【００６７】
図１０は、第２通信端末２に表示される警告画面ＡＬ２の一例を示す図である。警告画面ＡＬ２には、図１０（ａ）に示すように、「電話する」と表示され、第２通信部２４による第１通信端末１との無線通信の開始指示を受け付ける第１ボタンと、「音をストップ」と表示され、警告音の出力停止を受け付ける第２ボタンと、「終了」と表示され、警告画面ＡＬ２を非表示にする指示を受け付ける第３ボタンとが設けられている。警告画面ＡＬ２において第１ボタンが選択されると、受付部２６５は、複数の第１通信端末１のうち、第２通信部２４による無線通信を行う第１通信端末１の選択を受け付ける。
【００６８】
具体的には、受付部２６５は、警告画面ＡＬ２において、第１ボタンが選択されると、警告画面ＡＬ２の表示を切り替え、図１０（ｂ）に示すように、複数の第１通信端末１のそれぞれを所持する見守り者の略称（例えば、お母さん、お父さん）が示された発呼ボタンを表示させ、第２通信部２４による無線通信を行う第１通信端末１の選択を受け付ける。
【００６９】
なお、第２通信端末２側では、警告画面に、警告画面を非表示にする指示を受け付ける第３ボタンを表示させないようにしてもよい。このようにすることで、第２通信端末２では、警告画面が非表示にならないので、見守り対象者が、警告画面に表示されている第１ボタンを選択して、見守り者とのコミュニケーションを開始する可能性を高めることができる。
【００７０】
また、受付部２６５は、図１０（ｂ）に示すように警告画面ＡＬ２を表示させて第２通信部２４による無線通信を行う第１通信端末１の選択を受け付けたが、これに限らない。
図１１は、第２通信端末２に表示される警告画面ＡＬ２の他の表示例を示す図である。受付部２６５は、図１１（ａ）に示すように、複数の第１通信端末１のそれぞれに対応して、第２通信部２４による無線通信の開始指示を受け付ける警告画面ＡＬ２を表示させ、当該警告画面ＡＬ２を介して、第２通信部２４による無線通信を行う第１通信端末１の選択を受け付けるようにしてもよい。図１１（ａ）に示す警告画面ＡＬ２では、図１０（ａ）に示すように警告画面ＡＬ２に第１ボタンを表示させる代わりに、「お母さんに電話」と表示され、一の第１通信端末１（例えば、第１通信端末１Ａ）との無線通信の開始指示を受け付けるボタンと、「お父さんに電話」と表示され、他の第１通信端末１（例えば、第１通信端末１Ｂ）との無線通信の開始指示を受け付けるボタンとが表示されていることが確認できる。このようにすることで、見守り対象者は、警告画面ＡＬ２を確認して、複数の見守り者のいずれかと容易に電話をすることができる。
【００７１】
また、受付部２６５は、図１１（ｂ）に示すように、複数の第１通信端末１のうちの特定の第１通信端末１に対応して、第２通信部２４による無線通信の開始指示を受け付ける警告画面ＡＬ２を表示させるようにしてもよい。ここで、受付部２６５は、所定の条件に基づいて、特定の第１通信端末１を特定する。所定の条件は、例えば、第２通信端末２から最も近い距離に存在しているか、存在している可能性が高いことである。図１１（ｂ）に示す警告画面ＡＬ２では、「お母さんに電話」と表示され、特定の第１通信端末１（例えば、第１通信端末１Ａ）との無線通信の開始指示を受け付けるボタンが表示されていることが確認できる。なお、受付部２６５は、警告画面ＡＬ２を介して、どの第１通信端末１と通信させるかについて、予め設定を受け付けておき、当該設定において登録されている第１通信端末１を所定の条件を満たす特定の第１通信端末として特定してもよい。これにより、見守り対象者は、警告画面ＡＬ２を確認して、予め設定された一の見守り者と容易に電話をすることができる。
【００７２】
通信制御部２６４は、第１通信部２３による無線通信の通信状況が、第２通信端末２が複数の第１通信端末１のそれぞれと所定距離以上離れていることを示す通信状況に変化すると、第２通信部２４により、記憶部２５に記憶されている第１電話番号に基づいて複数の第１通信端末１の少なくともいずれかと通信を行う。具体的には、通信制御部２６４は、警告画面ＡＬ２において発呼ボタンが選択されることにより、一の第１通信端末１が選択され、無線通信の開始指示を受け付けると、第２通信部２４により、第１電話番号に基づく当該第１通信端末１との無線通信を行う。通信制御部２６４は、開始指示を受け付けると、第２通信部２４を制御し、第１通信端末１とのペアリング時に記憶部２５に記憶された複数の第１電話番号のうち、選択された見守り者の第１通信端末１に対応する第１電話番号に発呼する。
【００７３】
第１通信端末１の第２受付部１６５は、着呼したことに応じて、第２通信端末２から着呼していることを示す情報を表示部１２に表示させる。見守り者が第１通信端末１を操作して、通話を開始する操作を行うと、第２通信端末２の第２通信部２４と、第１通信端末１の第２通信部１４とは無線通信を開始する。
【００７４】
なお、通信制御部２６４は、選択された一の第１通信端末１と第２通信部２４による無線通信を行うこととしたが、これに限らない。通信制御部２６４は、VoLTE（Voice over LTE）を用いて、複数の第１通信端末１と同時に通信を行い、見守り対象者が複数の見守り者と同時に通話できるようにしてもよい。このようにすることで、見守り対象者と、複数の見守り者とは、円滑にコミュニケーションを取ることができる。
【００７５】
通知部２６６は、第１通信部２３による無線通信の通信状況が、第２通信端末２が第１通信端末１と所定距離以上離れていることを示す通信状況に変化すると、第２通信端末２を所持する見守り対象者が見守り者と離れたことを第２通信端末２の周囲に通知する。例えば、通知部２６６は、警告画面が表示された後、所定時間（例えば、１分）にわたって、警告画面の操作が行われなかったことに応じて、見守り対象者が見守り者と離れたことを示す情報、及び見守り対象者の身元を示す情報が示された通知画面を表示部２２に表示させるとともに、警告音をスピーカから出力させ、見守り対象者が見守り者と離れたことを第２通信端末２の周囲に通知する。このようにすることで、見守り対象者が見守り者と離れたことを第三者に気付かせ、第三者に適切な対応を取る可能性を高めることができる。
【００７６】
なお、第１通信端末１と、第２通信端末２とが互いに送受信する信号に基づいて警告画面を表示させることにより、第１通信端末１と、第２通信端末２とが、同じタイミングで警告画面を表示する可能性が高い。この場合、見守り者と、見守り対象者が警告画面において同じタイミングで第２通信部による無線通信の開始指示を行うことにより話し中となり、見守り者と見守り対象者とがコミュニケーションを取ることができなくなるおそれがある。
【００７７】
そこで、第１通信端末１と、第２通信端末２とにおける警告画面の表示タイミングをそれぞれ異なるようにしてもよい。例えば、第１通信端末１において、第１通信部１３がビーコン信号を最後に受信してから第１時間（例えば、１０秒）経過したことに応じて警告画面を表示させ、第２通信端末２において、第１通信部２３が応答信号を最後に受信してから第２時間（例えば、２０秒）経過したことに応じて警告画面を表示させるようにしてもよい。また、第１通信端末１と第２通信端末２とは、警告画面に表示される第２通信部による無線通信の開始指示を受け付ける第１ボタンを選択可能になるまでの時間がそれぞれ異なるように制御してもよい。
【００７８】
また、複数の第１通信端末１のそれぞれと第２通信端末２とが離れた場合、複数の第１通信端末１に、同じタイミングで警告画面が表示される可能性が高い。この場合、複数の見守り者が同時に見守り対象者に電話をすることにより、複数の見守り対象者及び見守り者の間でのコミュニケーションが複雑になるおそれがある。そこで、複数の第１通信端末１のそれぞれの第２受付部１６５は、警告画面を異なるタイミングで表示させるようにしてもよい。例えば、第１通信端末１Ａの第２受付部１６５が、第１通信部１３がビーコン信号を最後に受信してから第３時間（例えば、１０秒）経過したことに応じて警告画面を表示させ、第１通信端末１Ｂの第２受付部１６５が、第１通信部１３がビーコン信号を最後に受信してから第４時間（例えば、３０秒）経過したことに応じて警告画面を表示させてもよい。
【００７９】
この場合において、複数の第１通信端末１のそれぞれの通知部１６６は、第２通信部１４により、第２通信端末２と無線通信を行うと、自身とは異なる第１通信端末１に、自身と第２通信端末２とが通信した旨を示す情報を通知してもよい。例えば、複数の第１通信端末１のそれぞれの通知部１６６は、自身を所持する見守り者が、第２通信端末２を所持する見守り対象者と通話した旨を示す情報として、「けんたろうはお母さんと電話しています」といったメッセージを通知してもよい。そして、当該情報を受信した第１通信端末１の通知部１６６は、自身の表示部に当該情報を表示させてもよい。また、当該情報を受信した第１通信端末１の第２受付部１６５は、当該情報を受信した時点で警告画面を表示している場合、当該警告画面を非表示にしてもよい。
【００８０】
また、見守り対象者が一の見守り者と一緒に行動している場合に、他の見守り者が見守り対象者と離れると、他の見守り者が所持する第１通信端末１に警告画面が表示されてしまう。そこで、複数の第１通信端末１のそれぞれの通信制御部１６４が、第２通信部２４により、自身が見守り対象者のビーコンＩＤを受信しているか否かを示す情報を送受信するようにしてもよい。そして、通信制御部１６４は、応答信号を最後に受信してから所定時間が経過した場合であっても、他の第１通信端末１が応答信号を受信しているときには、警告画面を表示させないようにしてもよい。このようにすることで、見守り対象者が一の見守り者と一緒に行動している場合に、他の見守り者の第１通信端末１に警告画面が表示されることを防止することができる。
【００８１】
また、第１通信端末１は、第１通信部１３による無線通信の通信状況が、第１通信端末１が第２通信端末２と所定距離以上離れていることを示す通信状況に変化すると、警告画面を表示部１２に表示させ、当該警告画面において第２通信部１４による第２通信端末２との無線通信の開始指示を受け付けることとしたが、これに限らない。例えば、第１通信端末１は、第２通信部１４による第２通信端末２との無線通信の開始指示を受け付けることなく、自動的に、第２通信部１４による第２通信端末２との無線通信を開始させるようにしてもよい。
【００８２】
［見守り対象者の状況を示す情報の表示］
第１通信端末１及び第２通信端末２において、第１通信部による無線通信の通信状況が、通信相手（第２通信端末２又は第１通信端末１）と所定距離以上離れていることを示す通信状況に変化した場合、第１通信端末１を所持する見守り者に、見守り対象者の状況を示す状況情報を通知してもよい。
【００８３】
例えば、第２通信端末２の取得部２６２は、第１通信部２３による無線通信の通信状況が、第２通信端末２が第１通信端末１と所定距離以上離れていることを示す通信状況に変化すると、第２通信端末２が備える加速度センサ（不図示）から出力される加速度情報に基づいて、第２通信端末２を所持する見守り対象者の移動態様を示す情報を取得する。例えば、移動態様を示す情報には、徒歩、車、又は電車による移動であることを示す情報や、ゆっくり移動しているか、素早く移動しているか等の移動速度に関する情報が含まれる。通信制御部２６４は、見守り対象者の移動態様を示す情報を、見守り対象者の状況を示す状況情報として、第２通信部２４を介して第１通信端末１に送信する。
【００８４】
第１通信端末１の通信制御部１６４は、第１通信部１３による無線通信の通信状況が、第１通信端末１が第２通信端末２と所定距離以上離れていることを示す通信状況に変化すると、第２通信部１４により、第２通信端末２から、見守り対象者の状況を示す状況情報として、見守り対象者の移動態様を示す情報を受信する。通知部１６６は、受信した見守り対象者の移動態様を示す情報を表示部１２に表示させたり、移動態様を示す音声をスピーカから出力させたりすることで、第１通信端末１を所持する見守り者に通知する。このようにすることで、見守り者は、見守り対象者の移動態様を把握して、見守り対象者がおかれている状況がどのような状況であるかを把握することができる。
【００８５】
なお、第２通信端末２は、見守り対象者の状況を示す状況情報として、見守り対象者の移動態様を示す情報を第１通信端末１に送信したが、これに限らない。例えば、第２通信端末２は、自身の位置を示す位置情報を取得し、当該位置情報を見守り対象者の状況を示す状況情報として第１通信端末１に送信してもよい。また、第２通信端末２は、自身に設けられている撮像部（不図示）により自身の周囲を撮像させて画像データを生成し、当該画像データを見守り対象者の状況を示す状況情報として第１通信端末１に送信してもよい。
また、第１通信端末１の通知部１６６は、第２通信端末２から受信した位置情報と、自身の位置情報とに基づいて、第１通信端末１から第２通信端末２が離れているか否かを判定してもよい。そして、通知部１６６は、見守り対象者の状況を示す状況情報として、第２通信端末２（見守り対象者）が、自身に近づいているか、離れているかを通知するようにしてもよい。
【００８６】
また、第１通信端末１が、自身の位置を示す情報を示す位置情報や、自身の周囲を撮像することによって生成された画像データを、見守り者の状況を示す情報として第２通信端末２に送信してもよい。そして、第２通信端末２の通知部２６６が、見守り者の状況を示す情報を受信したことに応じて、当該情報を表示部２２に表示させたり、当該情報を示す音声をスピーカから出力させたりすることで、見守り対象者に通知してもよい。
【００８７】
［第１通信部による通信が通信可能状態に復帰したときの処理］
なお、第１通信端末１及び第２通信端末２において第１通信部による無線通信の通信状況が、通信相手と所定距離以上離れていることを示す通信状況に変化した場合、第１通信端末１及び第２通信端末２は、第１通信部による通信が可能か否かの判定を続けてもよい。
【００８８】
例えば、第１通信端末１の通信制御部１６４は、第１通信部１３による無線通信の通信状況が、第１通信端末１が第２通信端末２と所定距離以上離れていることを示す通信状況に変化した後も、第１通信部１３がビーコン信号を受信したか否かを判定する。第１通信端末１の通知部１６６は、第１通信部１３による無線通信の通信状況が、第１通信端末１が第２通信端末２と所定距離以上離れていることを示す通信状況に変化した後、第２通信端末２との無線通信ができる状態、すなわち、第２通信端末２と所定距離以上離れていないことを示す通信状況に変化すると、第１通信部１３による第２通信端末２との無線通信ができることを見守り者に通知する。なお、第１通信端末１の通知部１６６は、第１通信部１３による第２通信端末２との無線通信ができることを通知する代わりに、第１通信部１３による第２通信端末２との無線通信ができる状態に変化したこと、又は第１通信端末１と第２通信端末２との距離が所定距離以内に変化したことを見守り者に通知してもよい。
【００８９】
同様に、第２通信端末２の通知部２６６も、第１通信部２３による無線通信の通信状況が、第２通信端末２が複数の第１通信端末１のそれぞれと所定距離以上離れていることを示す通信状況に変化した後、複数の第１通信端末１の少なくともいずれかと所定距離以上離れていないことを示す通信状況に変化すると、第１通信部２３による第１通信端末１との無線通信ができることを見守り対象者に通知する。このようにすることで、見守り者は、見守り対象者が自身に近づいていることを把握することができるとともに、見守り対象者も、見守り者が自身に近づいていることを把握することができる。
【００９０】
［本実施形態における効果］
以上説明したように、本実施形態に係る第２通信端末２は、第１通信部２３による無線通信の通信状況を監視する対象として指定された複数の第１通信端末１を識別する端末識別情報を記憶部２５に記憶し、第１通信部２３による複数の第１通信端末１のそれぞれとの無線通信の通信状況が、第２通信端末２が第１通信端末１と所定距離以上離れていることを示す通信状況に変化すると、第２通信部２４により、第１通信端末１の端末識別情報に基づいて複数の第１通信端末１の少なくともいずれかと無線通信を行う。
【００９１】
このようにすることで、第２通信端末２を所持する見守り対象者は、第１通信端末１を所持する複数の見守り者のいずれとも離れた場合に、第２通信部２４を介して見守り者とコミュニケーションを取ることができる。よって、第２通信端末２は、見守り対象者が複数の見守り者のいずれとも離れた場合に見守り対象者に適切に対応させることができる。
【００９２】
また、第２通信端末２は、第１通信部２３による第１通信端末１との無線通信の通信状況の監視指示が受け付けられると、複数の第１通信端末１のそれぞれから、第１通信端末１を識別する第１電話番号を取得し、当該第１電話番号を記憶部２５に記憶させる。このようにすることで、例えば、第１通信端末１に装着するＳＩＭカードが変更され、第１電話番号が変化することがあっても、第２通信端末２は、監視が行われる時点において第１電話番号を取得するので、見守り者が離れた場合に、当該第１電話番号を用いて確実に第１通信端末１と通信を行うことができる。
【００９３】
以上、本発明を実施の形態を用いて説明したが、本発明の技術的範囲は上記実施の形態に記載の範囲には限定されない。例えば、上述の実施形態では、第１通信端末１と、第２通信端末２とが、第２通信部による無線通信を行う場合に、端末識別情報として、電話番号を用いることとしたが、これに限らない。例えば、端末識別情報は、メールアドレスや、メッセンジャーのユーザＩＤであってもよい。そして、第１通信端末１及び第２通信端末２は、第１通信部による無線通信の通信状況が、通信相手（第２通信端末２又は第１通信端末１）と所定距離以上離れていることを示す通信状況に変化すると、第２通信部により、ＳＭＳ（Short Message Service）やメールアドレスやメッセンジャーのユーザＩＤに基づいて、通信相手との無線通信を行ってもよい。例えば、第２通信部１４による第２通信端末２との無線通信の開始指示を受け付ける警告画面に、ＳＭＳのメッセージ、電子メールのメッセージ、又はメッセンジャーアプリのメッセージを受け付けるボタンを表示させてもよい。
【００９４】
また、上述の実施形態では、第１通信端末１及び第２通信端末２は、ペアリング時に、通信相手の電話番号を取得して記憶したが、一度、通信相手の電話番号を記憶した後は、ペアリング時に、通信相手の電話番号を取得しないようにしてもよい。また、第１通信端末１は、予め第１通信部１３による無線通信の通信状況を監視する対象として第２通信端末２の指定を受け付けてもよい。この場合、第１通信端末１は、指定を受け付けたタイミングで、第２通信端末２を識別する第２電話番号を取得して記憶部１５に記憶するようにしてもよい。
また、上述の実施形態では、複数の第１通信端末１のそれぞれが、記憶部１５、第１受付部１６１、取得部１６２、記憶制御部１６３、通信制御部１６４、第２受付部１６５、及び通知部１６６を備えることとしたが、これに限らない。例えば、複数の第１通信端末１の少なくともいずれかが、これらの構成を備えるようにしてもよい。
【００９５】
また、上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００９６】
１・・・第１通信端末、１１・・・入力部、１２・・・表示部、１３・・・第１通信部、１４・・・第２通信部、１５・・・記憶部、１６・・・制御部、１６１・・・第１受付部、１６２・・・取得部、１６３・・・記憶制御部、１６４・・・通信制御部、１６５・・・第２受付部、１６６・・・通知部、２・・・第２通信端末、２１・・・入力部、２２・・・表示部、２３・・・第１通信部、２４・・・第２通信部、２５・・・記憶部、２６・・・制御部、２６２・・・取得部、２６３・・・記憶制御部、２６４・・・通信制御部、２６５・・・受付部、２６６・・・通知部、Ｓ・・・通信システム
【図１】
0006534623.tif 000002
【図２】
0006534623.tif 000003
【図３】
0006534623.tif 000004
【図４】
0006534623.tif 000005
【図５】
0006534623.tif 000006
【図６】
0006534623.tif 000007
【図７】
0006534623.tif 000008
【図８】
0006534623.tif 000009
【図９】
0006534623.tif 000010
【図１０】
0006534623.tif 000011
【図１１】
0006534623.tif 000012